(57)【特許請求の範囲】
【請求項１】
長方形の底面(11)の対向する長辺に三角形の側面(12)を連設し、両側面(12)の前下部から後上部へ斜めに延びる端縁部間に長方形の正面(13)を形成し、底面(11)及び両側面(12)の後端に長方形の後面(14)を連設したサンドイッチ包装体において、
底面(11)、両側面(12)の全体及び後面(14)の一部となる紙製の基材(1)と、正面(13)の全体及び後面(14)の一部となる透明フィルム製の被覆材(8)とから成り、基材(1)には、各側面(12)の前下部から後面(14)の高さ方向中間部へ向かう折畳線(2)と、底面(11)と各側面(12)との境界をなす底側稜線(3)とを入れ、展開状態で基材(1)の折畳線(2)より外側となる両側部分を折畳線(2)に沿って内側へ折り曲げた状態で、基材(1)の両側の端縁部と被覆材(8)の両側の端縁部とを接着して、基材(1)の端縁部間に被覆材(8)を張り渡し、被覆材(8)の前部と基材(1)の重なる部分に、小さな接着力で基材(1)と被覆材(8)とを貼り合わせた捲り始め用の弱シール部(9)を設けておき、
サンドイッチの包装に際しては、折畳線(2)の折り曲げを伸ばし、基材(1)の両側を底側稜線(3)に沿って立ち上がらせるように折り曲げ、底面(11)から両側面(12)を起立させると共に、基材(1)と被覆材(8)の接着部を折り曲げて、正面(13)を傾斜させた状態とし、内部にサンドイッチを収納した後、基材(1)の後部を内側へ折り曲げ、貼り合わせて後面(14)を閉止することにより封緘し、
サンドイッチの取り出しに際しては、弱シール部(9)から被覆材(8)を引っ張り、基材(1)との接着部を剥がして開封するようにしたことを特徴とする紙と透明フィルムの複合材料から成るサンドイッチ包装体。
【発明の詳細な説明】
【０００１】
【発明の属する技術分野】
この発明は、三角形のサンドイッチの包装に使用する紙と透明フィルムの複合包装体に関するものである。
【０００２】
【従来の技術】
一般に、コンビニエンスストア等で販売される三角形のサンドイッチの包装には、図７に示すように、全体が透明フィルムから成り、側面５１を直角三角形とし、後面５２に上方のシール部５３から引裂帯５４を形成し、後面５２の下部に賞味期限等を記載した表示シール５５を貼り付けた包装体が使用されている。
【０００３】
【発明が解決しようとする課題】
ところで、上記包装体では、開封に際し、引裂帯５４を引っ張って後面５２のフィルムと共にシール５５を引き裂くと、引裂帯５４が途中で切れて、サンドイッチの取り出しに手間取る場合があった。
【０００４】
また、全体が透明フィルムであることから、サンドイッチが大量生産品であるというイメージが強くなり、包装状態での訴求力に欠けるという問題もあった。
【０００５】
そこで、この発明は、内容物を容易に取り出すことができ、高級感を演出することのできるサンドイッチ包装体を提供しようとするものである。
【０００６】
【課題を解決するための手段】
上記課題を解決するため、この発明に係るサンドイッチ包装体は、紙製の基材と、その端縁部間に張り渡した透明フィルム製の被覆材とから成り、基材の両側部分を折り畳んだ状態で、基材と被覆材とを接着し、被覆材の端部に捲り始め用の弱シール部を設け、サンドイッチの包装に際しては、基材の折り曲げを伸ばしてサンドイッチを収納した後、基材の後部を閉止して封緘し、サンドイッチの取り出しに際しては、弱シール部から被覆材を引っ張り、基材との接着部を剥がして開封するものとしたのである。
【０００７】
このように構成すると、開封時に、被覆材を全体的に基材から剥がすので、被覆材が引裂帯のように途中で切れることがなく、容易に開封することができる。
【０００８】
また、紙と透明フィルムという異種の材料を組み合わせているので、内容物に高級感やこだわり感を与えることができる。
【０００９】
【発明の実施の形態】
以下、この発明の実施形態を添付図面に基づいて説明する。
【００１０】
図１は、この発明に係る包装体の基材１の展開状態を示す。この基材１は、柔らかい薄手の紙を材料とした略三角状のものであり、その両側には対称に罫線が入れられている。この罫線は、折畳線２、底側稜線３、底後稜線４、折込線５，６及び側後稜線７から構成される。
【００１１】
この包装体の製造に際しては、基材１の両側部分を折畳線２に沿って内側へ折り曲げ、図２に示すように、その端縁部間に透明フィルム製の被覆材８を張り渡して、基材１と被覆材８とを接着する。被覆材８の前部と基材１の重なる部分には、小さな接着力で貼り合わせた弱シール部９を設けておく。
【００１２】
いま、この包装体でサンドイッチを包装する際には、図３に示すように、折畳線２の折り曲げを伸ばし、基材１の両側を底側稜線３に沿って立ち上がらせるように折り曲げ、底面１１及び両側面１２を形成すると共に、基材１と被覆材８の稜部を折り曲げ、傾斜した正面１３を形成する。
【００１３】
次に、内部にサンドイッチを収納し、底後稜線４及び折込線５に沿って基材１の後下部を上方へ折り曲げ、折込線６に沿って基材１の後上部を下方へ折り曲げると共に、被覆材８の後上部を下方へ折り曲げた後、側後稜線７に沿って基材１の後部両側を内側へ折り曲げ、貼り合わせて後面１４を閉止する。
【００１４】
そして、このように封緘した包装体からサンドイッチを取り出すには、図４に示すように、弱シール部９から被覆材８を引っ張り、基材１との接着部を剥がして、正面１３を開口させる。
【００１５】
このように、上記包装体では、被覆材８を全体的に基材１から剥がして開封するので、被覆材８が引裂帯のように途中で切れることがなく、例えば、被覆材８に表示シールが貼り付けられていても、容易に開封することができる。また、開封と同時に紙とフィルムとを分別できるので、廃棄も容易になる。
【００１６】
さらに、紙と透明フィルムという異種の材料を組み合わせているので、内容物であるサンドイッチに高級感やこだわり感を与えることができ、店頭における販売促進効果を期待できる。
【００１７】
なお、図５及び図６に示すように、正面１３の上半部を覆う被覆材８と、下半部を覆う被覆材８とを、正面１３の中間部で重ね合わせ、その重なる部分を弱シール部９とし、この弱シール部９から各被覆材８を上下にそれぞれ引っ張って開封するようにしてもよい。
【００１８】
【発明の効果】
以上のように、この発明に係るサンドイッチ包装体は、紙製の基材の端縁部間に透明フィルム製の被覆材を張り渡し、この被覆材を弱シール部から引っ張って開封するようにしたので、被覆材が引裂帯のように途中で切れることがなく、容易に開封することができ、開封に伴い紙とフィルムが分別されるので、廃棄も容易になる。
【００１９】
また、紙と透明フィルムという異種の材料を組み合わせているので、包装したサンドイッチに高級感やこだわり感を与えることができ、店頭における販売促進効果を期待することができる。
【図面の簡単な説明】
【図１】この発明の第１実施形態に係る包装体の基材を展開状態で示す図
【図２】同上の基材と被覆材を張り合わせて折り畳んだ状態を示す図
【図３】同上の包装状態を示す斜視図
【図４】同上の開封過程を示す斜視図
【図５】この発明の第２実施形態に係る包装体の包装状態を示す斜視図
【図６】同上の開封過程を示す斜視図
【図７】従来の包装体の包装状態を示す斜視図
【符号の説明】
１  基材
２  折畳線
３  底側稜線
４  底後稜線
５，６  折込線
７  側後稜線
８  被覆材
９  弱シール部
１１  底面
１２  側面
１３  正面
１４  後面
【図１】
0004497835.tif 000002
【図２】
0004497835.tif 000003
【図３】
0004497835.tif 000004
【図４】
0004497835.tif 000005
【図５】
0004497835.tif 000006
【図６】
0004497835.tif 000007
【図７】
0004497835.tif 000008